(57)【要約】【課題】映像表示するデジタル信号が供給される外部機器を切り替える際の表示手段での映像の無出画（ブラックアウト）期間を短縮する可能とする。【解決手段】夫々に外部機器１９が接続されたＨＤＭＩ入力端子６のいずれかをスイッチャ９がＨＤＭＩ受信部１０ａ，１０ｂに接続し、スイッチャ１１が受信部１０ａ，１０ｂのいずれかを信号処理部１２に接続する。いま、スイッチャ９によって入力端子６ｂが信号受信部１０ｂに接続され、スイッチャ１１によってこの信号受信部１０ｂが信号処理部１２に接続されて、ゲーム機１９ｂからの映像が表示パネル１３で表示されている状態で、操作部１８により、ＤＶＤレコーダ１９ａが指示されると、スイッチャ９は、さらに、入力端子６ａを信号受信部１０ａに接続するが、このＤＶＤレコーダ１９ａと信号受信部１０ａとの間で認証が完了してから、スイッチャ１１が信号受信部１０ｂから信号受信部１０ａへ切り替える。【選択図】図１
2012019339.tif 000002
【特許請求の範囲】
【請求項１】
複数の外部機器が夫々接続される複数のデジタル入力端子と、
第１，第２の２つの信号受信部と、
該複数のディジタル入力端子のうちのいずれか２つを選択可能であって、選択した該テダジタル入力端子から入力される該外部機器からのデジタル信号を該信号受信部のいずれかに供給する第１のスイッチャと、
２つの該信号受信部のいずれか一方を選択する第２のスイッチャと、
該第２のスイッチャで選択された該信号受信部からの該デジタル信号を信号処理し、表示手段に供給する信号処理部と
を備え、
該信号受信部は、該第１のスイッチャによって該複数の外部機器のいずれかと接続されると、接続された該外部機器との間で認証をし、該認証の完了とともに、接続された該外部機器から該デジタル信号が供給され、処理して出力し、
該第２のスイッチャは、デジタル信号の出力を開始する方の該信号受信部を選択し、該信号処理部に供給する
ことを特徴とする信号受信機。
【請求項２】
請求項１において、
前記複数の外部機器のうちのいずれか１つを選択指示するユーザ操作部を備え、
前記第１のスイッチャは、該ユーザ操作部の操作によって新たに選択指示された前記外部機器が接続された前記デジタル入力端子を新たに選択するとともに、２つの前記信号受信部のうちの処理動作をしていない方の前記信号受信部を新たに選択して、新たに選択した前記デジタル入力端子を新たに選択した前記信号受信部に接続し、前記第２のスイッチャが新たに選択した前記信号受信部を選択するとともに、これまで選択していた他方の前記信号受信部とこれに接続されていた前記デジタル入力端子との接続を解除する
ことを特徴とする信号受信機。
【請求項３】
請求項１または２において、
通知情報を発生するＯＳＤ（On Screen Display）回路を設け、
該ＯＳＤ回路は、前記ユーザ操作部の操作によって新たに選択された前記外部機器と前記信号受信部との間で前記認証が行なわれてから、前記第２のスイッチャが新たに選択された前記信号受信部を選択して新たに選択された前記信号受信部から前記信号処理部に前記デジタル信号の供給が開始されるまでの期間、該通信情報を発生して前記信号処理部に供給し、
前記表示手段は、前記信号処理部で処理されるデジタル信号の映像を、該通知情報による通知画像を重畳して、表示する
ことを特徴とする信号受信機。
【請求項４】
複数の外部機器が夫々接続される複数のデジタル入力端子と、第１，第２の２つの信号受信部と、該複数のディジタル入力端子のうちのいずれか２つを選択可能であって、選択した該テダジタル入力端子から入力される該外部機器からのデジタル信号を該信号受信部のいずれかに供給する第１のスイッチャと、２つの該信号受信部のいずれか一方を選択する第２のスイッチャと、該第２のスイッチャで選択された該信号受信部からの該デジタル信号を信号処理し、表示手段に供給する信号処理部とを備えた信号受信機の入力切替制御方法であって、
該第１のスイッチャによって該複数の外部機器のいずれかが該信号受信部に接続されると、当該信号受信部がこれに接続された当該外部機器との間で認証を行ない、該認証の完了とともに、当該部機器から当該信号受信部に該デジタル信号が供給されて処理され、
当該信号受信部がデジタル信号の出力を開始するときに、該第２のスイッチャが該信号受信部を選択して、当該信号受信部かに出力される該デジタル信号を該信号処理部に供給する
ことを特徴とする信号受信機の入力切替制御方法。
【請求項５】
請求項４において、
前記第１のスイッチャによって前記複数の外部機器のうちのいずれか１つが新たに選択指示されることにより、前記第１，第２の信号受信部のうちの信号処理をしていない信号受信部が新たに選択されて、新たに選択指示された前記外部機器が接続された前記デジタル入力端子に接続され、
前記第２のスイッチャにより、これまで選択されていた他方の前記信号受信部から新たに選択された前記信号受信部へ前記信号処理部への接続が切り替わる
ことを特徴とする信号受信機の入力切替制御方法。
【請求項６】
請求項４または５において、
前記第２のスイッチによって前記第１，第２の信号受信部のいずれか一方から他方へ前記信号処理部への接続が切り替わる直前に、前記表示手段に前記信号処理部への接続の切り替りを通知する通知情報を表示させることを特徴とする信号受信機の入力切替制御方法。
【発明の詳細な説明】
【技術分野】
【０００１】
本発明は、信号処理装置及び信号処理装置の信号処理方法に係り、例えば、複数のＨＤＭＩ(High Definition Multimedia Interface）端子を備え、外部装置から受信する信号の切り替えを行なうことが可能な信号処理装置及び信号処理装置の信号処理方法に関する。
【背景技術】
【０００２】
ディジタル放送対応機器の普及に伴い、映像信号や音声信号を扱う機器の間のインタフェースには、ＨＤＭＩコネクタを使用する機会が増加している。表示装置や記録再生装置，オーディオシステムをはじめとする信号処理装置では、最近では、複数のＨＤＭＩコネクタを設けて複数の外部機器と認証を行ない、また、複数の外部機器から入力された信号を選択して処理し、また、入力された信号を他の外部機器へ転送する処理が行なわれる。
【０００３】
複数のＨＤＭＩコネクタを介して夫々に外部装置が接続された従来の受信装置として、夫々の外部装置に優先順位を割り当て、最も優先順位が高い外部装置をＨＤＭＩコネクタを介してＨＤＭＩ受信部に接続する状態を設定し、かかる外部装置がＨＤＭＩ受信部に接続されたときには、これら間で認証が行なわれ、かかる外部装置からの画像信号の表示がユーザによって選択されたときには、既にこの外部装置とＨＤＭＩ受信部との間で認証がなされているので、この外部装置からＨＤＭＩ受信部に直ちに画像信号が供給され、その画像の表示が行なわれるようにした技術が提案されている（例えば、特許文献１参照）。
【先行技術文献】
【特許文献】
【０００４】
【特許文献１】特開２００９−１４１６４２号公報
【発明の概要】
【発明が解決しようとする課題】
【０００５】
近年、ＨＤＭＩはテレビ受信機における優先度の高いフィーチャーであって、テレビ受信機に備えられるＨＤＭＩ端子の数は大きな意味を持ち、その数は２以上が普通となっている。ＨＤＭＩ端子を備えるテレビ受信機では、その内部にデジタル信号受信部としてのＨＤＭＩレシーバ（ＨＤＭＩ受信部）を備える必要がある。そこで、従来では、上記特許文献１に記載のように、ＨＤＭＩスイッチャと１つのＨＤＭＩレシーバを複数のＨＤＭＩ端子に対して適宜切り換えて使用することが提案されている。
【０００６】
しかし、この場合、ＨＤＭＩレシーバに接続されるＨＤＭＩ端子を切り換えた後、このＨＤＭＩレシーバとＨＤＭＩ端子を介して接続されているソース機器（外部装置）との間で互いに認証する処理が開始される。ＨＤＭＩレシーバは、この認証処理後にソース機器から映像信号を受信する状態となるため、出画時間が遅くなるという問題があった。
【０００７】
なお、上記特許文献１に記載の技術では、優先順位が最も高いソース機器が、認証済みの状態で、ＨＤＭＩレシーバに接続されているから、ユーザがこのソース機器を選択すれば、直ちにこのソース機器からＨＤＭＩレシーバに映像信号が供給され、出画時間が遅くなることはないが、このＨＤＭＩレシーバに接続されていない優先順位が低いソース機器がユーザによって選択された場合には、まず、このソース機器がＨＤＭＩレシーバに接続され、次いで、これら間で認証が行なわれた後、ソース機器からＨＤＭＩレシーバに映像信号が供給されることになるので、ユーザがそのソース機器から認証が終了するまでの間ソース機器からＨＤＭＩレシーバに映像信号が復号されず、無出画（ブラックアウト）期間が生ずることになる。
【０００８】
本発明の目的は、かかる問題を解消し、映像表示するデジタル信号が供給される外部機器を切り替える際の表示手段での出画までの無出画（ブラックアウト）期間を短縮することができるようにした信号受信機及び受信機の入力切替制御方法を提供することにある。
【課題を解決するための手段】
【０００９】
上記目的を達成するために、本発明は、複数の外部機器が夫々接続される複数のデジタル入力端子と、第１，第２の２つの信号受信部と、複数のディジタル入力端子のうちのいずれか２つを選択可能であって、選択したテダジタル入力端子から入力される外部機器からのデジタル信号を信号受信部のいずれかに供給する第１のスイッチャと、２つの信号受信部のいずれか一方を選択する第２のスイッチャと、第２のスイッチャで選択された信号受信部からのデジタル信号を信号処理し、表示手段に供給する信号処理部とを備え、信号受信部が、第１のスイッチャによって複数の外部機器のいずれかと接続されると、接続された外部機器との間で認証をし、認証の完了とともに、接続された外部機器からデジタル信号が供給され、処理して出力し、第２のスイッチャが、デジタル信号の出力を開始する方の信号受信部を選択し、信号処理部に供給することを特徴とする。
【００１０】
また、複数の外部機器のうちのいずれか１つを選択指示するユーザ操作部を備え、第１のスイッチャが、ユーザ操作部の操作によって新たに選択指示された外部機器が接続されたデジタル入力端子を新たに選択するとともに、２つの信号受信部のうちの処理動作をしていない方の信号受信部を新たに選択して、新たに選択したデジタル入力端子を新たに選択した信号受信部に接続し、第２のスイッチャが新たに選択した信号受信部を選択するとともに、これまで選択していた他方の信号受信部とこれに接続されていたデジタル入力端子との接続を解除することを特徴とする。
【００１１】
さらに、通知情報を発生するＯＳＤ（On Screen Display）回路を設け、ＯＳＤ回路は、ユーザ操作部の操作によって新たに選択された外部機器と信号受信部との間で認証が行なわれてから、第２のスイッチャが新たに選択された信号受信部を選択して新たに選択された信号受信部から信号処理部にデジタル信号の供給が開始されるまでの期間、通信情報を発生して信号処理部に供給し、表示手段が、信号処理部で処理されるデジタル信号の映像を、通知情報による通知画像を重畳して、表示することを特徴とする。
【００１２】
上記目的を達成するために、本発明は、複数の外部機器が夫々接続される複数のデジタル入力端子と、第１，第２の２つの信号受信部と、複数のディジタル入力端子のうちのいずれか２つを選択可能であって、選択したテダジタル入力端子から入力される外部機器からのデジタル信号を信号受信部のいずれかに供給する第１のスイッチャと、２つの信号受信部のいずれか一方を選択する第２のスイッチャと、第２のスイッチャで選択された信号受信部からのデジタル信号を信号処理し、表示手段に供給する信号処理部とを備えた信号受信機の入力切替制御方法であって、第１のスイッチャによって複数の外部機器のいずれかが信号受信部に接続されると、当該信号受信部がこれに接続された当該外部機器との間で認証を行ない、認証の完了とともに、当該部機器から当該信号受信部にデジタル信号が復号されて処理され、当該信号受信部がデジタル信号の出力を開始するときに、第２のスイッチャが信号受信部を選択して、当該信号受信部かに出力されるデジタル信号を信号処理部に供給することを特徴とする。
【００１３】
また、第１のスイッチャによって複数の外部機器のうちのいずれか１つが新たに選択指示されることにより、第１，第２の信号受信部のうちの信号処理をしていない信号受信部が新たに選択されて、新たに選択指示された外部機器が接続されたデジタル入力端子に接続され、第２のスイッチャにより、これまで選択されていた他方の信号受信部から新たに選択された信号受信部へ信号処理部への接続が切り替わることを特徴とする。
【００１４】
さらに、第２のスイッチによって第１，第２の信号受信部のいずれか一方から他方へ信号処理部への接続が切り替わる直前に、表示手段に信号処理部への接続の切り替りを通知する通知情報を表示させることを特徴とする。
【発明の効果】
【００１５】
本発明によれば、ユーザが画像表示映像信号の切り替えを行なったとき、映像信号処理部と接続されていないデジタル信号受信部でデジタル信号の処理が完了するまでは、切り替え前の画像表示信号を表示させておき、デジタル信号の処理が完了し、映像信号と音声信号との復号が可能となった時点で、画像表示の切り替えを行なうことにより、表示切替間のブラックアウト期間を短縮できる。
【図面の簡単な説明】
【００１６】
【図１】本発明による信号受信機及び受信機の入力切替制御方法の一実施形態を示すブロック構成図である。
【図２】図１でのＨＤＭＩソース機器におけるＨＤＭＩ送信部とＨＤＭＩシンク機器におけるＨＤＭＩ受信部との間で行なわれるＨＤＣＰの認証処理の工程を示す図である。
【図３】図１におけるＨＤＭＩソース機器のＨＤＭＩ送信部とテレビ受信機のＨＤＭＩ受信部との間の動作の一具体例を示す図である。
【図４】図３におけるＨＤＭＩ受信部のＨＤＭＩ端子のピン配列の一具体例を示す図である。
【図５】図１における制御部による制御処理の一具体例を示すフローチャートである。
【図６】図１における表示パネルで異なるソースからの映像が切り替わるときに表示される画面の一具体例を示す図である。
【発明を実施するための形態】
【００１７】
以下、本発明の実施形態を図面を参照しながら説明する。
【００１８】
図１は本発明による信号受信機及び受信機の入力切替制御方法の一実施形態を示すブロック構成図であって、１はＡＶ(Audio Visual)システム、２はテレビ受信機、３はアンテナ端子、４−１〜４−ｎはアナログ映像入力端子、５−１〜５−ｎはアナログ音声入力端子、６ａ〜６ｄはＨＤＭＩ入力端子、７はチューナ、８はビデオ・オーディオスイッチャ（Ｖ・Ａ ＳＷ）、９はＨＤＭＩスイッチャ（ＨＤＭＩＳＷ）、１０ａ，１０ｂはＨＤＭＩ受信部（ＨＤＭＩレシーバ：ＨＤＭＩ Ｒｘ）、１１はスイッチャ(ＳＷ)、１２は映像信号処理部、１３は表示パネル、１４は音声信号処理部、１５はスピーカ、１６は制御部、１６ａはメモリ、１７はＯＳＤ（On Screen Display）回路、１８はユーザ操作部、１９はソース機器、１９ａはＤＶＤ（Digital Versatile Disc）レコーダ、１９ｂはゲーム機、１９ｃはＢＤ（Blu-ray Disc）レコーダ、１９ｄはＡＶアンプ、２０はＨＤＭＩ送信部（ＨＤＭＩトランシーバ：ＨＤＭＩ Ｔｘ）、２１ａ〜２１ｄはＨＤＭＩ出力端子、２２ａ〜２２ｄはＨＤＭＩケーブルである。
【００１９】
同図において、ＡＶシステム１は、ＨＤＭＩ信号送信機器であるＤＶＤレコーダ１９ａ，ゲーム機１９ｂ，ＢＤレコーダ１９ｃ及びＡＶアンプ１９ｄがＨＤＭＩ信号受信機器であるテレビ受信機２に接続された構成をなしている。
【００２０】
なお、ＨＤＭＩソース機器１９は、これらＤＶＤレコーダ１９ａ，ゲーム機１９ｂ，ＢＤレコーダ１９ｃ及びＡＶアンプ１９ｄの総称であリ、暗号化されたデジタルの映像信号，音声信号（以下では、これらをまとめて映像／音声信号という）を出力する。
【００２１】
テレビ受信機２には、ＨＤＭＩ端子６ａ〜６ｄが設けられており、ＨＤＭＩ端子６ａには、ＤＶＤレコーダ１９ａに設けられたＨＤＭＩ送信部（ＨＤＭＩ ＴＸ）２０が接続されている。ＤＶＤレコーダ１９ａとテレビ受信機２とは、一端がＨＤＭＩ端子６ａに接続されて他端がＨＤＭＩ出力端子２１ａに接続されたＨＤＭＩケーブル２２ａによって接続されている。
【００２２】
同様に、ゲーム機１９ｂには、これに設けられたＨＤＭＩ送信部（図示せず）に接続されたＨＤＭＩ出力端子２１ｂが設けられ、ＢＤレコーダ１９ｃには、これに設けられたＨＤＭＩ送信部（図示せず）が接続されたＨＤＭＩ出力端子２１ｃが設けられ、ＡＶアンプ１９ｄには、これに設けられたＨＤＭＩ送信部（図示せず）が接続されたＨＤＭＩ出力端子２１ｄが設けられている。
【００２３】
ゲーム機１９ｂとテレビ受信機２とは、一端がＨＤＭＩ出力端子２１ｂに接続されて他端がＨＤＭＩ入力端子６ｂに接続されたＨＤＭＩケーブル２２ｂによって接続され、また、ＢＤレコーダ１９ｃとテレビ受信機２とは、一端がＨＤＭＩ出力端子２１ｃに接続されて他端がＨＤＭＩ入力端子６ｃに接続されたＨＤＭＩケーブル２２によって接続され、さらに、ＡＶアンプ１９ｄとテレビ受信機２とは、一端がＨＤＭＩ出力端子２１ｄに接続されて他端がＨＤＭＩ入力端子６ｄに接続されたＨＤＭＩケーブル２２ｄによって接続されている。
【００２４】
なお、ゲーム機１９ｂやＢＤレコーダ１９ｃ，ＡＶアンプ１９ｄにおいても、上記のように、図示しないが、ＨＤＭＩ送信部が設けられており、これらＨＤＭＩ送信部も、ＤＶＤレコーダ１９ａの場合と同様、ＨＤＭＩ送信部２０ということにする。
【００２５】
次に、テレビ受信機２の構成について説明する。
【００２６】
テレビ受信機２は、ＨＤＭＩ入力端子６ａ〜６ｄと、制御部１６と、ユーザ操作部１８と、ＦＤＭＩスイッチャ９と、ＨＤＭＩ受信部１０ａ，１０ｂと、スイッチャ１１と、アナログ音声入力端子４−１〜４−ｎと、アナログ映像入力端子５−１〜５−ｎと、ビデオ・オーディオスイッチャ８と、アンテナ端子３と、チューナ７と、映像信号処理部１２と、表示パネル１３と、音声信号処理部１４と、スピーカ１５と、ＯＳＤ回路１７とを備えている。
【００２７】
制御部１６は、プログラムなどのその動作に必要な情報が記録されたメモリ１６ａを備えており、かかるプログラムを実行することにより、テレビ受信機２の各部の動作を制御する。
【００２８】
ユーザ操作部１８は、ユーザインタフェースを構成し、制御部１６に接続されており、テレビ受信機２の図示しない筐体に配置された操作キー，操作釦、ダイアルあるいはリモコンの送受信機などで構成され、ＨＤＭＩソース機器１９のいずれかやビデオ・オーディオスイッチャ８から出力される映像／音声信号，チューナ７から出力される映像／音声信号のいずれかを選択し呈することができる。
【００２９】
ＦＤＭＩスイッチャ９は、この実施形態実施例においては、４入力２出力のスイッチャであり、制御部１６の制御のもと、ＨＤＭＩ入力端子６ａ〜６ｄのいずれかをＨＤＭＩ受信部１０ａ，１０ｂに選択的に接続する。制御部１６によるＨＤＭＩスイッチャ９の制御処理の詳細は後述する。
【００３０】
ＨＤＭＩ受信部１０ａ，１０ｂは、ＦＤＭＩスイッチャ９を介して、ＨＤＭＩ入力端子６ａ〜６ｄのいずれかに選択的に接続され、ＨＤＭＩに準拠した通信により、ＨＤＭＩ入力端子６ａ〜６ｄに接続されている外部機器（ＨＤＭＩソース機器１９のＨＤＭＩ送信部２０）から一方向に送信されてくるベースバンドの暗号化されたデジタルの映像／音声のデータを受信する。このＨＤＭＩ受信部１０ａ，１０ｂの詳細は後述する。
【００３１】
この場合、ＨＤＭＩ受信部１０ａ，１０ｂは、外部機器との間でＨＤＣＰ（High-bａndwidth Digital Content Protection）の認証で得た復号鍵を基に、外部機器からの映像／音声データを復号する。
【００３２】
以上のことから、ＨＤＭＩ信号送信機器であるＤＶＤレコーダ１９ａ，ゲーム機１９ｂ，ＢＤレコーダ１９ｃ及びＡＶアンプ１９ｄがＨＤＭＩソース機器１９であるのに対し、これらから映像／音声信号が供給されるテレビ受信機２はＨＤＭＩシンク機器をなしていることになる。従って、テレビ受信機２をＨＤＭＩシンク機器２という場合もある。
【００３３】
図２はＨＤＭＩソース機器１９におけるＨＤＭＩ送信部（ＨＤＭＩ Ｔｘ）２０とＨＤＭＩシンク機器２におけるＨＤＭＩ受信部（ＨＤＭＩ Ｒｘ）１０ａ，１０ｂ（以下、総称する場合、ＨＤＭＩ受信部１０という）との間で行なわれるＨＤＣＰの認証処理の工程を示す図である。なお、このＨＤＣＰの認証は、後述するＤＤＣ（Display Data Channel）を用いたＩＩＣ通信により行なわれる。
【００３４】
同図において、まず、ＨＤＭＩ受信部１０からＨＤＭＩ送信部２０に送られるＨＰＤ(Hot Plug Detect)信号を用いて認証の初期化を行ない、続いて、ＨＤＭＩ受信部１０からＨＤＭＩ送信部２０にＥＤＩＤ(Extended Display Identification Data)が送られる。続いて、ＨＤＭＩ送信部２０からＨＤＭＩ受信部１０に鍵生成用乱数Ａｎが送られ、さらに、ＨＤＭＩ送信部２０からＨＤＭＩ受信部１０にＴｘ側公開鍵ＡＫＳＶが送られる。そして、ＨＤＭＩ受信部１０からＨＤＭＩ送信部２０にＲｘ側公開鍵ＢＫＳＶが送られて、ＨＤＣＰの認証処理が行なわれる。
【００３５】
この認証処理で得た復号鍵により、映像／音声データの復号が可能となる。ＨＤＭＩ受信部１０側では、受信した映像データ（映像信号）に基づいて、そのフォーマットを判定できる。かかる認証動作後も、所定の時間間隔（例えば、２秒間隔）で復号鍵の更新が行なわれ、更新された復号鍵を用いてデータの復号が行なわれる。即ち、復号鍵の更新が行なえなくなると、映像／音声データの復号を行なうことができず、処理を行なうことができない。
【００３６】
図１に戻って、スイッチャ１１は、ＨＤＭＩ受信部１０ａ，１０ｂで認証及び暗号の復号が行なわれた映像／音声信号から、選択的に1系統の映像／音声信号を抽出して出力する。
【００３７】
以上説明したＨＤＭＩ受信部１０ａ，１０ｂやスイッチャ１１は、例えば、夫々の機能が物理的に独立していても、また、Ｓｏｃ（System on a chip）のような１つのチップにその機能が含まれているような構成としてもよい。
【００３８】
ビデオ・オーディオスイッチャ８は、アナログ映像入力端子４−１〜４−ｎやアナログ音声入力端子５−１〜５−ｎに入力される映像／音声信号から、選択的に、１系統の映像／音声信号を取り出して出力し、選択した映像信号を映像信号処理部１２に、選択した音声信号を音声信号処理部１４に夫々供給する。
【００３９】
チューナ７は、ＢＳ（Broadcasting Satellite）放送や地上波デジタル放送などを受信し、ユーザ操作で選局された番組の映像／音声データを出力し、その映像信号を映像信号処理部１２に、その音声信号を音声信号処理部１４に夫々供給する。このチューナ７には、アンテナ端子３に接続された図示しないアンテナが設けられており、このアンテナで捕らえられた放送信号が供給される。
【００４０】
映像信号処理部１２は、スイッチャ１１から出力される映像信号や、ビデオ・オーディオスイッチャ８から出力される映像信号，チューナ７から出力される映像信号のうち、ユーザ操作部１８でのユーザの選択操作に基づいて選択指定された映像信号を画像表示用に処理し、また、必要に応じてＯＳＤ回路１７からの画像データを用いてマルチ画面処理やグラフィックスデータの重畳処理などを行ない、表示パネル１３に出力して、処理後の映像信号に応じて表示パネル１３を駆動する。表示パネル１３は、例えば、ＬＣＤ(Liquid Crystal Display)やＰＤＰ(Plasma Display  Panel)などで構成されている。
【００４１】
音声信号処理部１４は、スイッチャ１１から出力される音声信号やビデオ・オーディオスイッチャ８から出力される音声信号，チューナ７から出力される音声信号のうち、ユーザ操作部１８でのユーザの選択操作に基づいて選択された音声信号に対してＤ／Ａ変換や増幅などの必要な処理を行なってスピーカ１５に供給する。
【００４２】
次に、ＡＶシステム１の動作について説明する。
【００４３】
ＨＤＭＩ受信部１０ａ，１０ｂには、ＨＤＭＩスイッチャ９で選択されたＨＤＭＩ入力端子６（ＨＤＭＩ入力端子６ａ〜６ｄの総称）に接続されているＨＤＭＩソース機器１９を外部機器として、この外部機器のＨＤＭＩ送信部２０から、図２に示すＨＤＣＰの認証処理後、ベースバンドの映像データと音声データとが送信されてくる。
【００４４】
例えば、ＨＤＭＩ受信部１０ａがＨＤＭＩ入力端子６ａに接続された状態にある場合には、このＨＤＭＩ入力端子６ａにＨＤＭＩケーブル２２ａを介して接続されたＤＶＤレコーダ１９ａのＨＤＭＩ送信部２０とＨＤＭＩ受信部１０ａとの間で互いに認証が行なわれた後、ＤＶＤレコーダ１９ａで再生された映像／音声データが暗号化されてＨＤＭＩ受信部１０ａに送られる。
【００４５】
ＨＤＭＩ受信部１０ａでは、このようにして受信した映像／音声データの暗号の復号化などの処理が行なわれ、かかる処理がなされた映像データはスイッチャ１１を介して映像信号処理部１２に供給され、音声データはスイッチャ１１を介して音声信号処理部１４に供給される。
【００４６】
また、アナログ映像入力端子４−１〜４−ｎから入力されたアナログ映像信号やアナログ音声入力端子５−１〜５−ｎから入力されたアナログ音声信号は、ビデオ・オーディオスイッチャ８に供給され、このビデオ・オーディオスイッチャ８で１系統の映像信号／音声信号が選択されて出力されて、映像信号処理部１２と音声信号処理部１４とに供給される。
【００４７】
なお、アナログ映像入力端子４−１〜４−ｎを総称する場合、アナログ映像入力端子４といい、アナログ音声入力端子５−１〜５−ｎを総称する場合、アナログ音声入力端子５という。
【００４８】
さらに、アンテナ端子３から入力された放送信号はチューナ７に供給される。チューナ７では、この放送信号に基づいて、所定の番組の映像／音声データが取得され、映像データは映像信号処理部１２に、音声データは音声信号処理部１４に夫々供給される。
【００４９】
映像信号処理部１２では、スイッチャ１１を介してＨＤＭＩ受信部１０ａまたはＨＤＭＩ受信部１０ｂから出力される映像信号やビデオ・オーディオスイッチャ８から出力される映像信号，チューナ７から出力される映像信号のうちいずれかが、ユーザ操作部１８でのユーザの選択操作に基づいて、画像表示用の映像信号が選択され、また、必要に応じて、ＯＳＤ回路１７からの画像データに基づいてマルチ画面処理やグラフィックスデータの重畳処理などの処理が行なわれて、表示パネル１３に供給される。これにより、処理後の映像信号に基づいて表示パネル１３が駆動され、映像が表示される。
【００５０】
このようにして、表示パネル１３には、ユーザ操作部１８でのユーザの選択操作に基づいて選択された画像表示用の映像信号による画像が表示される。
【００５１】
次に、ユーザ操作部１８でのユーザの操作に伴う動作について説明する。
【００５２】
動作例１(ＨＤＭＩソース機器１９からの入力の場合)：
例えば、ユーザ操作部１８の操作により、ユーザがＨＤＭＩ入力端子６ａに接続されたＤＶＤレコーダ１９ａから出力される映像信号を画像表示用の映像信号として選択された場合には、ＨＤＭＩスイッチャ９はＨＤＭＩ入力端子６ａを選択するとともに、ＨＤＭＩ受信部１０ａ，１０ｂのいずれか一方を選択し、スイッチャ１１はＨＤＭＩ受信部１０ａ，１０ｂのうちのＨＤＭＩスイッチャ９が選択した方を選択し、映像信号処理部１２はスイッチャ１１から出力される映像信号を選択する。これにより、表示パネル１３には、ＤＶＤレコーダ１９ａから出力される映像信号による映像（再生映像）が表示され、スピーカ１５にＤＶＤレコーダ１９ａから出力される映像信号に付随した音声信号による音声が再生される。
【００５３】
動作例２(入力端子４，５からのアナログ入力の場合）：
例えば、ユーザ操作部１８の操作により、ユーザがアナログ映像入力端子４−１〜４−ｎのうち所定のアナログ映像入力端子４から入力される映像信号が画像表示用の映像信号として選択され、アナログ音声入力端子５−１〜５−ｎのうち所定のアナログ音声入力端子５から入力される音声信号が音声再生用の音声信号として選択された場合には、ビデオ・オーディオスイッチャ８がユーザが指定した所定のアナログ映像入力端子４とアナログ音声入力端子５とを選択し、映像信号処理部１２がビデオ・オーディオスイッチャ８から出力される映像信号を選択して、所定の処理をした後、表示パネル１３に供給し、音声信号処理部１４がビデオ・オーディオスイッチャ８から出力される音声信号とを選択して、所定の処理をした後、スピーカ１５に供給する。これにより、所定のアナログ映像入力端子４から入力されたアナログ映像信号による映像が表示パネル１３で表示され、所定のアナログ音声入力端子５から入力されたアナログ音声信号による音声がスピーカ１５で再生される。
【００５４】
動作例３(チューナ７からの放送信号の入力の場合)：
例えば、ユーザ操作部１８の操作により、ユーザがチューナ７から出力される所定チャンネルの放送番組が選択された場合には、チューナ７は選択された放送チャンネルの放送番組信号を出力し、映像信号処理部１２はこのチューナ７からの放送番組信号の映像信号が供給されて、所定の処理をした後、表示パネル１３に供給する。また、音声信号処理部１４はこのチューナ７からの放送番組信号の音声信号が供給されて、所定の処理をした後、スピーカ１５に供給する。これにより、表示パネル１３には、チューナ７で受信された放送番組の映像信号による映像が表示され、スピーカ１５では、チューナ７で受信された放送番組の音声信号による音声が再生される。
【００５５】
図３は図１におけるＨＤＭＩソース機器１９のＨＤＭＩ送信部２０とテレビ受信機２のＨＤＭＩ受信部１０との間の動作の一具体例を示す図であって、２３はＨＤＭＩトランスミッタ、２４はＨＤＭＩレシーバ、２５はＥＤＩＤＲＯＭ、２６はメモリ、２７はＤＤＣ（Display DatａChannel）、２８はＣＥＣ（Consumer Electronics Control）ライン、２９はHot Plug Detect、３０はReserve、３１は電力線であり、図１に対応する部分には同一符号をつけて重複する説明を省略する。
【００５６】
以下、この具体例の各種動作について説明する。
【００５７】
〔ＨＤＭＩ送信部２０の動作〕
ＨＤＭＩ送信部２０は、映像信号の始めの垂直同期信号から次の垂直同期信号までの最初の垂直走査期間から、水平帰線期間及び垂直帰線期間を除いた期間である有効画像期間（以下、アクティブビデオ期間ともいう）において、非圧縮の１画面分の画像の画素データに対応する差動信号を、複数のチャネルでもって、ＨＤＭＩ受信部１０に一方向に送信するとともに、水平帰線期間または垂直帰線期間において、少なくとも映像データに付随する音声データや制御データ，その他の補助データなどに対応する差動信号を、複数のチャネルでもって、ＨＤＭＩ受信部１０に一方向に送信する。
【００５８】
なお、差動信号とは、２本の信号線を用いて伝送されるものであって、これら信号線の電圧レベルでもって差動信号の信号値が表わされる。
【００５９】
〔映像データなどの送信〕
ＨＤＭＩ送信部２０はＨＤＭＩトランスミッタ２３を備えており、このＨＤＭＩトランスミッタ２３は、例えば、非圧縮の映像の画素データを対応する差動信号に変換し、複数、例えば、３つのＴＭＤＳ（Transition Minimized Differential Signaling）チャネル＃０，＃１，＃２でもって、ＨＤＭＩケーブル２２ａを介して接続されているＨＤＭＩ受信部１０のＨＤＭＩレシーバ２４に一方向にシリアル伝送する。
【００６０】
また、ＨＤＭＩトランスミッタ２３は、非圧縮の映像に付随する音声、さらには、必要な制御データやその他の補助データなどを、対応する差動信号に変換し、３つのＴＭＤＳチャネル＃０，＃１，＃２でＨＤＭＩケーブル２２ａを介して接続されているＨＤＭＩ受信部１０のＨＤＭＩレシーバ２４に一方向にシリアル伝送する。
【００６１】
〔ＴＭＤＳクロックの送信〕
さらに、ＨＤＭＩトランスミッタ２３は、これら３つのＴＭＤＳチャネル＃０，＃１，＃２で送信する画素データに同期したピクセルクロックを、ＴＭＤＳクロックチャネル（ＴＭＤＳ Clock Channel）で、ＨＤＭＩケーブル２２ａを介して接続されているＨＤＭＩ受信部１０のＨＤＭＩレシーバ２４に送信する。
【００６２】
ここで、各ＴＭＤＳチャネル＃ｉ（ｉ＝０，１，２）では、ピクセルクロックの１クロック間に、１０ビットの画素データが送信される。
【００６３】
〔ＨＤＭＩ受信部１０の動作〕
ＨＤＭＩ受信部１０では、映像信号のアクティブビデオ期間にＴＭＤＳチャネル＃０，＃１，＃２でＨＤＭＩ送信部２０から一方向に送信されてくる画素データに対応する差動信号を受信するとともに、水平帰線期間または垂直帰線期間にＴＭＤＳチャネル＃０，＃１，＃２でＨＤＭＩ送信部２０から一方向に送信されてくる音声データや制御データに対応する差動信号を受信する。
【００６４】
即ち、ＨＤＭＩ受信部１０はＨＤＭＩレシーバ２４を備えており、このＨＤＭＩレシーバ２４により、ＴＭＤＳチャネル＃０，＃１，＃２でＨＤＭＩケーブル２２ａを介して接続されているＨＤＭＩ送信部２０から一方向に送信されてくる画素データに対応する差動信号と、音声データや制御データに対応する差動信号とを、同じくＨＤＭＩ送信部２０からＴＭＤＳクロックチャネルで送信されてくるピクセルクロックに同期して受信する。
【００６５】
〔ＤＤＣ，ＣＥＣについて〕
ＨＤＭＩ送信部２０とＨＤＭＩ受信部１０からなるＨＤＭＩシステムの伝送チャネルには、ＨＤＭＩ送信部２０からＨＤＭＩ受信部１０に対して、画素データ及び音声データを、ピクセルクロックに同期して、一方向にシリアル伝送するための伝送チャネルとしての３つのＴＭＤＳチャネル＃０〜＃２と、ピクセルクロックを伝送する伝送チャネルとしてのＴＭＤＳクロックチャネルの他に、ＤＤＣ（Display DatａChannel）２７とＣＥＣ（Consumer Electronics Control）ライン２８，Hot Plug Detect２９，Reserve３０と呼ばれる伝送チャネルが設けられ、ＨＤＭＩ受信部１０からＨＤＭＩ送信部２０への電力線３１も設けられている。
【００６６】
ＤＤＣ２６は、ＨＤＭＩケーブル２２ａに含まれる図示しない２本の信号線からなり、ＨＤＭＩ送信部２０が、ＨＤＭＩケーブル２２ａを介して接続されたＨＤＭＩ受信部１０からＥ−ＥＤＩＤ（ Enhanced Extended Display Identification Datａ）を読み出すなどのために使用される。このＥ−ＥＤＩＤは、ＨＤＭＩ受信部１０の性能（Configuration/capability）に関する性能情報であって、ＨＤＭＩ受信部１０に設けられているＥＤＩＤＲＯＭ(Read Only Memory)２５に格納されている。
【００６７】
ＨＤＭＩ送信部２０は、ＨＤＭＩケーブル２２ａを介して接続されているＨＤＭＩ受信部１０から、このＨＤＭＩ受信部１０のＥ−ＥＤＩＤをＤＤＣ２６を介して読み出し、そのＥ−ＥＤＩＤに基づいて、例えば、ＨＤＭＩ受信部１０を有する電子機器が対応している、ＲＧＢやＹＣｂＣr（＝４：４：４），ＹＣｂＣr（＝４：２：２）などの画像のフォーマット（プロファイル）を認識する。
【００６８】
また、ＤＤＣ２７を介して図２に示す認証が行なわれ、ＨＤＭＩ受信部１０では、メモリ２６が設けられてその認証の結果がこのメモリ２６に格納される。
【００６９】
図４は図３におけるＨＤＭＩ受信部１０でのＨＤＭＩ端子のピン配列の一具体例を示す図である。ここでは、ピン番号が１のピン（これをピン１という。以下、同様）からピン１９まで１９個のピンがあり、そのピン配列はタイプＡ（type-A）に従うものである。
【００７０】
同図において、１つのＴＭＤＳチャンネルを構成するＴＭＤＳチャネル＃ｉ（ｉ＝０，１，２）の差動信号は、ＴＭＤＳ Ｄａｔａ＃ｉ＋とＴＭＤＳ Ｄａｔａ＃ｉ−の２本のラインからなる差動線で伝送されるものであって、この２本のラインは、ＴＭＤＳ Ｄａｔａ＃ｉ＋が割り当てられているピン（ピン１，４，７）と、ＴＭＤＳ Ｄａｔａ＃ｉ−が割り当てられているピン（ピン３，６，９）によって接続されているものである。即ち、ＴＭＤＳチャネル＃０はピン７，９に接続された２本のラインからなり、ＴＭＤＳチャネル＃１はピン４，６に接続された２本のラインからなり、ＴＭＤＳチャネル＃２はピン１，３に接続された２本のラインからなる。
【００７１】
また、Ｅ−ＥＤＩＤなどのＳＤＡ(Serial Data)信号が伝送されるラインは、ピン１６に接続され、ＳＤＡ信号の送受信時の同期に用いられるクロック信号であるＳＣＬ(Serial Clock)信号が伝送されるラインは、ピン１５に接続される。上記のＤＤＣ２６は、ＳＤＡ信号が伝送されるラインとＳＣＬ信号が伝送されるラインにより構成される。さらに、制御データであるＣＥＣ信号が伝送されるＣＥＣライン２８はピン１３に接続されたラインであり、ＨＤＣＰの認証などに使用するHot Plug Detect２９のラインはピン１９に接続され、ＨＤＭＩシンク機２からＨＤＭＩソース機器へとデジタル音声データを送信することなどに使用されるReserve３０のラインはピン１４に接続され、電力線３１はピン１８に接続される。
【００７２】
図５は図１における制御部１６による制御処理の一具体例を示すフローチャートである。
【００７３】
同図において、いま、チューナ７、もしくはアナログ入力端子４−１〜４−ｎのいずれか、あるいはＨＤＭＩ入力端子６ａ〜６ｄ（即ち、ＨＤＭＩソース機器１９）のいずれかからの映像信号が映像信号処理部１２で処理され、表示パネル１３に供給されてかかる映像信号の映像が表示され、また、これに付随する音声信号が音声信号処理部１４で処理され、スピーカ１５に供給されてかかる音声信号が再生されている状態にあるとする。かかる状態で、ユーザによるユーザ操作部１８の操作により、ＨＤＭＩソース機器１９のうちのユーザが新たに希望するＨＤＭＩソース機器１９（ここでは、ＤＶＤレコーダ１９ａとする）からの映像信号による画面表示への切り替え要求があると（Ｓ１００）、制御部１６は、この切り替え制御を開始するとともに、ＯＳＤ回路１７を起動し、切り替えを開始したことを通知するテキストの画像信号（以下、通知画像信号という）を出力させる。この通知画像信号は、映像信号処理部１２に供給されてこの映像信号処理部１２が現在処理中の映像信号（この場合には、チューナ７もしくはアナログ入力端子４−１〜４−ｎあるいはＨＤＭＩ入力端子６ａ〜６ｄのいずれかからの映像信号）に重畳され、表示パネル１３に供給される。
【００７４】
図６（ａ）はこのとき表示パネル１３で表示される画面の一具体例を示す図であって、３２は映像画面、３３は通知画像である。
【００７５】
同図において、表示パネル１３では、このとき表示されているチューナ７もしくはアナログ入力端子４−１〜４−ｎあるいはＨＤＭＩ入力端子６ａ〜６ｄのいずれかからの映像信号による映像画面３２上の所定の位置、例えば、下辺側の位置に、横長に、例えば、「現在切替を行っています、しばらくお待ちください」といったテキストの通知画像３３が表示される。かかる通知画像３３は、切り替えが開始されるまで表示される（図５のＳ１０１）。
【００７６】
図５に戻って、制御部１６は、映像信号処理部１２や音声信号処理部１４の状態から、現在表示パネル１３で表示されている映像画面３２（図６（ａ））や現在スピーカ１５で再生されている音声がＨＤＭＩソース機器１９のいずれか、従って、ＨＤＭＩ入力端子６のいずれかから入力された映像／音声信号であるか否かを判定する（Ｓ１０２）。この判定の結果、ＨＤＭＩ入力端子６のいずれかから入力される映像／音声信号でない場合には（Ｓ１０２の“Ｎｏ”）、制御部１６は、ＨＤＭＩ受信部１０ａ，１０ｂのうちの優先順位が高い方、ここでは、ＨＤＭＩ受信部１０ａの優先順位がＨＤＭＩ受信部１０ｂの優先順位よりも高いとすると、ＨＤＭＩ受信部１０ａを選択して起動させ、かつＨＤＭＩスイッチャ９を制御して、このＨＤＭＩスイッチャ９のＨＤＭＩ受信部１０ａ側の出力端子をＨＤＭＩ入力端子６ａに接続させる。これにより、ＨＤＭＩ受信部１０ａがＨＤＭＩスイッチャ９，ＨＤＭＩ入力端子６ａ，ＨＤＭＩケーブル２２ａを介してＤＶＤレコーダ１９ａに接続される（Ｓ１０３）。但し、かかる切り替え処理動作が行なわれている間も、映像信号処理部１２や音声信号処理部１４の選択状態は変更されず、これまで選択していた映像／音声信号をそのまま選択し続け、表示パネル１３には、図６（ａ）に示すように、映像画面３２が通知画像３３とともに表示されている。
【００７７】
以上のように、ＨＤＭＩ受信部１０ａがユーザが希望するＤＶＤレコーダ１９ａと接続されると、これらＨＤＭＩ受信部１０ａとＤＶＤレコーダ１９のＨＤＭＩ送信部２０との間で図２に示した認証が行なわれ（Ｓ１０６）、この認証が完了すると（Ｓ１０６の“Ｙｅｓ”）、制御部１６は、スイッチ１１を制御してＨＤＭＩ受信部１０ａ側に切り替え（Ｓ１０８）、ＯＳＤ回路１７を制御して映像信号処理部１２に供給する通知画像信号を変更する。
【００７８】
図６（ｂ）はこのときに表示パネル１３に表示される映像画面３２と通知画像３３とを示す図であって、この映像画面３２は、これまで表示されているチューナ７もしくはアナログ入力端子４あるいはＨＤＭＩ入力端子６ａ〜６ｄのいずれかからの映像信号による映像がそのまま表示されており、これに、ＯＳＤ回路１７からの通知画像信号による、例えば、「準備ができました、入力を切り替えます」といったテキストの通知画像３３が表示される（図５のＳ１０８）。
【００７９】
図５に戻って、かかる動作が行なわれている間、上記の認証の完了に伴ってＤＶＤレコーダ１９ａが映像／音声信号の出力を開始し、ＤＶＤレコーダ１９ａからＨＤＭＩ受信部１０ａにこの再生された映像／音声信号が供給されて復号され、スイッチャ１１に供給されるが、ＤＶＤレコーダ１９ａの映像／音声信号の出力開始とともに、制御部１６の制御により、映像信号処理部１２と音声信号処理部１４とはスイッチャ１１側に切り替わり、ＨＤＭＩ受信部１０ａで復号処理されたＤＶＤレコーダ１９ａからの映像／音声信号がスイッチャ１１に供給され、その映像信号は映像処理部１２で処理されて表示パネル１３に、その音声信号は音声信号処理部１４で処理されてスピーカ１５に夫々供給される。
【００８０】
これにより、表示パネル１３では、図６（ｂ）に示す表示状態からＤＶＤレコーダ１９ａからの映像信号による映像の表示状態に切り替わり、スピーカ１５では、ＤＶＤレコーダ１９ａからの音声信号による音声の再生状態に切り替わる（Ｓ１０９）。
【００８１】
このようにして、映像信号処理部１２と音声信号処理部１４とがＨＤＭＩ入力端子６のいずれかからも映像／音声信号を選択していないときには（Ｓ１０２の“Ｎｏ”）、ユーザがＨＤＭＩ入力端子６からの映像／音声信号を新たに希望する操作をしたとき、このＨＤＭＩ入力端子６からこの新たに希望して指定した映像／音声信号が入力されてその映像が表示パネル１３で表示開始され、その音声がスピーカ１５で開始されるまでは、これまで表示されていた映像が継続して表示パネル１３で表示され、これまで再生されていた音声がスピーカ１５で再生されており、ユーザが新たに希望したＤＶＤレコーダ１９ａからの映像，音声が表示，再生開始状態となるとともに、これまでの映像／音声から新たに希望されて選択されたＤＶＤレコーダ１９ａからの映像／音声の表示／再生が切り替わるものであって、これにより、切り替わり時での無出画（ブラックアウト）期間が大幅に短縮されることになるし、あるいはかかる期間が生ずることがない。
【００８２】
また、これまで表示／再生されていた映像／音声からユーザの操作によって新たに指定された映像／音声に表示が切り替わる直前では、図６（ａ），（ｂ）に示すように、かかる映像／音声の切り替わりを通知する通知画像３３が表示パネル１３に表示されるので、ユーザがこれまで表示／再生されていた映像／音声とは異なるＨＤＭＩソース機器１９からの映像／音声の表示／再生を新たに希望する操作をユーザ操作部１８で行なったことをかかる通知画像３３で確認することができ、切り替わるかどうかが分からぬままに切り替わるまで待つことのユーザの心理的な負担を軽減できる。
【００８３】
ところで、以上は、映像信号処理部１２と音声信号処理部１４とがＨＤＭＩ入力端子６のいずれかからの映像／音声信号も選択していない状態のときに、ユーザがユーザ操作部１８を操作して、ＨＤＭＩ入力端子６のいずれかからの映像／音声信号を新たに選択するものであったが（Ｓ１０２の“Ｎｏ”）、次に、映像信号処理部１２と音声信号処理部１４とがＨＤＭＩ入力端子６のいずれかが選択されていて、この選択されているＨＤＭＩ入力端子６から映像／音声信号が入力されている状態のときに、ユーザがユーザ操作部１８を操作して、他のいずれかのＨＤＭＩ入力端子６からの映像／音声信号を新たに選択する（Ｓ１０２の“Ｙｅｓ”）場合について説明する。
【００８４】
ここでは、ＨＤＭＩスイッチャ９がＨＤＭＩ入力端子６ｂをＨＤＭＩ受信部１０ａに接続し、スイッチャ１１がこのＨＤＭＩ受信部１０ａを選択しているとともに、映像信号処理部１２と音声信号処理部１４とがスイッチャ１１を選択した状態にあるものとする。この場合には、ゲーム機１９ｂとＨＤＭＩ受信部１０ａとの間で、図２に示すように、認証が行なわれながら、ゲーム機１９ｂからの暗号化されたデジタルの映像／音声信号がＨＤＭＩ受信部１０ａに供給されて復号され、その映像信号が映像信号処理部１２で処理されて表示パネル１３に供給され、その音声信号が音声信号処理部１４で処理されてスピーカ１５に供給されており、ゲーム機１９ｂからの映像が表示パネル１３で表示され、ゲーム機１９ｂからの音声がスピーカ１５で再生されている。
【００８５】
かかる状態でユーザがユーザ操作部１８を操作し、例えば、ＤＶＤレコーダ１９ａを新たに選択指定したとすると、上記と同様にＳ１００，Ｓ１０１の処理動作が行なわれ、制御部１６は、映像信号処理部１２や音声信号処理部１４の状態から、現在表示パネル１３で表示されている映像画面３２や現在スピーカ１５で再生されている音声がＨＤＭＩソース機器１９のいずれかからの映像／音声信号であるか否かを判定する（Ｓ１０２）。ここでは、ＨＤＭＩ入力端子６ｂから入力されるゲーム機１９ｂからの映像／音声信号であるとの判定の結果から（Ｓ１０２の“Ｙｅｓ”）、制御部１６は、この映像／音声信号を処理している、即ち、使用されているのが優先度の高いＨＤＭＩ受信部１０ａであるか否かを判定する（Ｓ１０４）。
【００８６】
このＨＤＭＩ受信部１０ａが使用されている場合には（ステップＳ１０４の“Ｙｅｓ”）、制御部１６はＨＤＭＩスイッチャ９を制御して、使用されていない方のＨＤＭＩ受信部１０ｂをユーザが指定したＤＶＤレコーダ１９ａが接続されているＨＤＭＩ入力端子６ａに接続し（Ｓ１０５）、このＨＤＭＩ受信部１０ａが使用されていない場合には（ステップＳ１０４の“Ｎｏ”）、制御部１６はＨＤＭＩスイッチャ９を制御して、このＨＤＭＩ受信部１０ａをユーザが新たに指定したＤＶＤレコーダ１９ａが接続されているＨＤＭＩ入力端子６ａに接続する（Ｓ１０５）。
【００８７】
このようにして、ユーザが新たに希望して指定したＤＶＤレコーダ１９ａがＨＤＭＩ受信部１０ａ，１０ｂのうちの使用されていない方に必ず接続されることになる。
【００８８】
これ以降は、上記と同様に、Ｓ１０６〜Ｓ１０９の制御動作が行なわれることになり、従って、上記と同様、ユーザが新たに希望して指定したＤＶＤレコーダ１９ａの映像／音声信号がＨＤＭＩ受信部１０ａまたは１０ｂで復号化などの処理がなされて、スイッチャ１１を介し、映像信号処理部１２や音声信号処理部１４に供給されるまでは、これまで映像の表示や音声の再生が行なわれていたゲーム機１９ｂからの映像／音声信号がこれまで使用されていたＨＤＭＩ受信部１０ａまたは１０ｂで復号化などの処理がなされ、映像信号処理部１２や音声信号処理部１４に供給され続け、これまで使用されていなかったＨＤＭＩ受信部１０ａまたは１０ｂにＤＶＤレコーダ１９ａから映像／音声信号が供給され、その復号化などの処理が開始される状態となると、スイッチャ１１が、これまで使用されておらず、ＤＶＤレコーダ１９ａからの映像／音声信号に使用されるようになったＨＤＭＩ受信部１０ａまたは１０ｂを選択し、この映像／音声信号を映像信号処理部１２や音声信号処理部１４に供給させる。
【００８９】
このように、ユーザがユーザ操作部１８を操作して、これまで映像／音声信号の出力を行なっているＨＤＭＩリソース機器１９のいずれとは異なるＨＤＭＩリソース機器１９の他のいずれかを指定した場合でも、上記と同様、表示パネル１３では、ＨＤＭＩ受信部１０ａ，１０ｂで認証が行なわれるにもかかわらず、ユーザが新たに希望して指定したＤＶＤレコーダ１９ａからの映像／音声が表示／再生開始状態となると、これまでのゲーム機１９ｂからの映像／音声からユーザが新たに希望して指定したＤＶＤレコーダ１９ａからの映像／音声に表示／再生が切り替わるものであって、無出画（ブラックアウト）期間が大幅に短縮されることになるし、あるいはかかる期間が生ずることがない。
【００９０】
また、上記と同様に、これまで表示／再生されていたＨＤＭＩソース機器１９からの映像／音声からユーザの操作によって新たに指定した他のＨＤＭＩソース機器１９からの映像／音声に切り替わる直前では、図６（ａ），（ｂ）に示すように、かかる映像／音声の切り替わりを通知する通知画像３３が表示パネル１３に表示されるので、ユーザがこれまで表示／再生されていた映像／音声とは異なるＨＤＭＩソース機器１９からの新たな映像／音声の表示／再生の指定操作をユーザ操作部１８で行なったことを、かかる通知画像３３で確認することができ、表示／再生が切り替わるまで待つことのユーザの心理的な負担を軽減できる。
【００９１】
なお、図１において、ＨＤＭＩ受信部１０ａ，１０ｂとスイッチャ１１とが物理的に独立した回路構成をなす場合には、ＨＤＭＩ受信部１０ａ，１０ｂでの認証及び暗号の復号化処理が完了したことをＨＤＭＩ受信部１０ａ，１０ｂが持つ汎用の出力ピンもしくは専用信号ピンから、制御部１６へ通知し、これを受けた制御部１６がスイッチャ１１の切り替えを行なうようにしてもよい。
【００９２】
また、例えば、ＨＤＭＩ受信部１０ａ，１０ｂとスイッチャ１１とが１つのＬＳＩとして構築されている場合には、ＬＳＩの制御部１６にＨＤＭＩ受信部１０ａ，１０ｂが認証及び暗号の復号化処理が完了したことを知らせるフラグを設け、このフラグを受けた制御部１６が、ＬＳＩのスイッチャ１１を切り替えることを自動で行なうようにしてもよい。
【符号の説明】
【００９３】
１  ＡＶシステム
２  テレビ受信機
３  アンテナ端子
４−１〜４−ｎ  アナログ映像入力端子
５−１〜５−ｎ  アナログ音声入力端子
６ａ〜６ｄ  ＨＤＭＩ入力端子
７  チューナ
８  ビデオ・オーディオスイッチャ（Ｖ・ＡＳＷ）
９  ＨＤＭＩスイッチャ（ＨＤＭＩＳＷ）
１０ａ，１０ｂ  ＨＤＭＩ受信部（ＨＤＭＩ Ｒｘ）
１１  スイッチャ(ＳＷ)
１２  映像信号処理部
１３  表示パネル
１４  音声信号処理部
１５  スピーカ
１６  制御部
１６ａ  メモリ
１７  ＯＳＤ回路
１８  ユーザ操作部
１９ａ  ＤＶＤレコーダ
１９ｂ  ゲーム機
１９ｃ  ＢＤレコーダ
１９ｄ  ＡＶアンプ
２０  ＨＤＭＩ送信部（ＨＤＭＩ Ｔｘ）
２１ａ〜２１ｄ  ＨＤＭＩ出力端子
２２ａ〜２２ｄ  ＨＤＭＩケーブル
【図１】
2012019339.tif 000003
【図２】
2012019339.tif 000004
【図３】
2012019339.tif 000005
【図４】
2012019339.tif 000006
【図５】
2012019339.tif 000007
【図６】
2012019339.tif 000008